(57)【要約】    【課題】  詰めにくさを回避しつつ、出し過ぎを防止することができる袋を提供することである。    【解決手段】  粒状物又は粉状物を入れるための一方の端部（１２ｃ、１４ｃ）と粒状物又は粉状物を出すための他方の端部（１２ｄ、１４ｄ）が開放するように２枚のシート（１２、１４）で形成されており、一方の端部に隣接した個所に一方の端部を閉鎖するための手段（１６）が設けられており、他方の端部が、袋の全体幅よりも幅狭の開口部（２０）が形成されるように、部分的に閉鎖されており、シートの一方の側における他方の端部に延長部分（１４ｅ）が設けられており、延長部分を折り返して、シートの他方の側に設けられた接着部（２２）に接着させることにより、幅狭の開口部が閉鎖されるように構成されている。【選択図】  図１
2005186965.tif 000002
【特許請求の範囲】
【請求項１】
粒状物又は粉状物を収容する袋であって、
粒状物又は粉状物を入れるための一方の端部と粒状物又は粉状物を出すための他方の端部が開放するように１枚又は２枚のシートで形成されており、
前記一方の端部に隣接した個所に前記一方の端部を閉鎖するための手段が設けられており、  前記他方の端部が、袋の全体幅よりも幅狭の開口部が形成されるように、部分的に閉鎖されており、
前記シートの一方の面における前記他方の端部に延長部分が設けられており、
前記延長部分を折り返して、前記シートの他方の側に設けられた接着部に接着させることにより、前記幅狭の開口部が閉鎖されるように構成されていることを特徴とする袋。
【請求項２】
前記接着部が、両面テープ又は感圧接着剤で形成されていることを特徴とする請求項１に記載の袋。
【請求項３】
粒状物又は粉状物を収容する袋であって、
粒状物又は粉状物を入れるための一方の端部と粒状物又は粉状物を出すための他方の端部が開放するように１枚又は２枚のシートで形成されており、
前記一方の端部に隣接した個所に前記一方の端部を閉鎖するための手段が設けられており、  前記他方の端部が、複数の第１ボタンを所定間隔隔ててシートの両方の面に貫通させることによって、部分的に閉鎖されており、
前記シートの一方の面における前記他方の端部に延長部分が設けられており、
前記延長部分を折り返して、前記延長部分に取り付けられた第２ボタンを前記第１ボタンにスナップ嵌めすることにより、前記他方の端部の開口部が閉鎖されるように構成されていることを特徴とする袋。
【請求項４】
前記一方の端部を閉鎖する手段が、ファスナ又はヒートシールであることを特徴とする請求項１から３までのいずれか１項に記載の袋。
【発明の詳細な説明】
【技術分野】
【０００１】
本発明は、粒状物又は粉状物を収容する袋に関する。本発明の袋に収容される粒状物又は粉状物としては、例えば、冬期間に路面に散布する滑り止め剤や園芸用の肥料などが含まれる。
【背景技術】
【０００２】
積雪寒冷地では、冬期間に路面が凍結するため、道路脇に滑り止め剤を常備しておき、歩行者等が横断歩道等に滑り止め剤を自由に散布することができるようになっている例が数多く見受けられる。このような場合、滑り止め剤を入れた複数の小袋が道路脇の箱に準備されているのが一般的である。
【発明の開示】
【発明が解決しようとする課題】
【０００３】
しかしながら、滑り止め剤を散布しようとする際、滑り止め剤を出し過ぎてしまうことが往々にしてあった。一方、滑り止め剤の出し過ぎを避けるため、袋の口を小さくすると、滑り止め剤を詰めるときに詰めにくいという不都合がある。従って、滑り止め剤を詰めにくくしないようにしつつ、滑り止め剤の出し過ぎを防止する袋に対する要請がある。なお、このような事情は、収容量があまり多くない、滑り止め剤以外の粒状物又は粉状物（例えば、園芸用肥料）についても当てはまるので、本発明は、このような粒状物又は粉状物にも適用される。
【０００４】
したがって、本発明は、詰めにくさを回避しつつ、出し過ぎを防止することができる、粒状物又は粉状物を収容する袋を提供することを目的としている。
【課題を解決するための手段】
【０００５】
本願請求項１に記載の粒状物又は粉状物を収容する袋は、粒状物又は粉状物を入れるための一方の端部と粒状物又は粉状物を出すための他方の端部が開放するように１枚又は２枚のシートで形成されており、前記一方の端部に隣接した個所に前記一方の端部を閉鎖するための手段が設けられており、前記他方の端部が、袋の全体幅よりも幅狭の開口部が形成されるように、部分的に閉鎖されており、前記シートの一方の面における前記他方の端部に延長部分が設けられており、前記延長部分を折り返して、前記シートの他方の側に設けられた接着部に接着させることにより、前記幅狭の開口部が閉鎖されるように構成されていることを特徴とするものである。
【０００６】
本願請求項２に記載の粒状物又は粉状物を収容する袋は、前記請求項１の袋において、前記接着部が、両面テープ又は感圧接着剤で形成されていることを特徴とするものである。
【０００７】
本願請求項３に記載の粒状物又は粉状物を収容する袋は、粒状物又は粉状物を入れるための一方の端部と粒状物又は粉状物を出すための他方の端部が開放するように１枚又は２枚のシートで形成されており、前記一方の端部に隣接した個所に前記一方の端部を閉鎖するための手段が設けられており、前記他方の端部が、複数の第１ボタンを所定間隔隔ててシートの両方の面に貫通させることによって、部分的に閉鎖されており、前記シートの一方の面における前記他方の端部に延長部分が設けられており、前記延長部分を折り返して、前記延長部分に取り付けられた第２ボタンを前記第１ボタンにスナップ嵌めすることにより、前記他方の端部の開口部が閉鎖されるように構成されていることを特徴とするものである。
【０００８】
本願請求項４に記載の粒状物又は粉状物を収容する袋は、前記請求項１から３までのいずれか１項の袋において、前記一方の端部を閉鎖する手段が、ファスナ又はヒートシールであることを特徴とするものである。
【発明の効果】
【０００９】
本発明の袋では、入り口を大きくし、出し口を小さくしたので、容易に詰めることができるとともに、出し過ぎを防止することができる。また、閉鎖手段をファスナにすれば、袋が破損しない限り、何度でも使用することができ、経済的である。
【発明を実施するための最良の形態】
【００１０】
次に図面を参照して、本発明の好ましい実施の形態に係る粒状物又は粉状物を収容する袋について詳細に説明する。図１（ａ）において全体として参照符号１０で示される本発明の第１の実施の形態に係る袋は、矩形のシート１２の長さ方向縁部１２ａ、１２ｂと矩形のシート１４の対応する縁部１４ａ、１４ｂとをヒートシール等で閉鎖することによって形成されている。シート１２、１４は、ポリエチレン等の合成樹脂材料で作るのが好ましい。
【００１１】
シート１２、１４の一方の端部１２ｃ、１４ｃに隣接した個所に、端部１２ｃ、１４ｃに隣接した個所を閉鎖するための手段（以下「閉鎖手段」という）１６が設けられている。閉鎖手段１６は、例えば、一方のシートに凹部を設け、他方のシートに凹部に嵌め込まれる対応する凸部を設けた周知のファスナを用いてよい。或いは、閉鎖手段１６は、シート１２とシート１４とのヒートシールでもよい。また、袋１０の端部１２ｃ、１４ｃと閉鎖手段１６との間に、手持ち用の開口部１８を設けてもよい。
【００１２】
シート１２、１４の他方の端部１２ｄ、１４ｄは、部分的に（図１に示される例では、中央部分を除いて）ヒートシール等で閉鎖されている。換言すると、袋１０の他方の端部１２ｄ、１４ｄは、袋１０の全体幅Ｗよりも幅狭の開口部２０が形成されるように、ヒートシール等で閉鎖されている。
【００１３】
シート１４の他方の端部１４ｄは更に延びて、所定長さの延長部分１４ｅを形成している。シート１４と延長部分１４ｅは、一体に形成してもよく別体にしてもよい。また、シート１２の端部１２ｄに隣接した個所には、接着部２２が設けられている。接着部２２は、両面粘着テープを貼付してもよいし、普通の感圧接着剤を塗布してもよい。
【００１４】
図１（ｂ）及び図１（ｃ）は、シート１４の延長部分１４ｅを折り返して開口部２０を閉鎖した状態を示した図である。図１（ｂ）と図１（ｃ）は、前者が開口部２０が袋１０の縁部に位置するように折り返されているのに対して、後者が開口部２０が袋１０の一方の側（図１（ｃ）では、手前の側）に位置するように折り返されている点において相違している。
【００１５】
図２に示した各図は、図１の袋１０の変形形態を示したものである。すなわち、図２（ａ）に示される例では、１枚のシート１２の長さ方向縁部１２ａ、１２ｂ同士をヒートシール等で閉鎖することによって袋１０を形成している点を除いて、図１の袋１０と実質的に同一の構成を有している。また、図２（ｂ）に示される例では、両方の端部１２ｃ、１２ｄが開放した筒状シートを用いている点を除いて、図１の袋１０と実質的に同一の構成を有している。さらに、図２（ｃ）に示される例では、他方の端部に設けられる開口部２０が中央ではなく、一方に片寄った個所に設けられている点を除いて、図１の袋１０と実質的に同一の構成を有している。
【００１６】
次に図３を参照して、以上のように構成された袋１０の使用について説明する。まず、延長部分１４ｅを折り返して開口部２０を閉鎖する（図３（ｂ）参照）。次いで、閉鎖手段１６を開放し、袋１０の一方の端部を開けて、滑り止め剤を袋１０の中に投入する（図３（ｃ）参照）。しかる後、閉鎖手段１６を閉鎖して、袋１０を道路脇等の箱に収納しておく。そして、滑り止め剤を使用しようとする際は、箱から袋１０を取り出し、延長部分１４ｅを接着部２２から剥がして開口部２０を露出させ、滑り止め剤を所望の個所に散布する。散布後はリサイクルのため、元の箱に戻しておく。なお、滑り止め剤以外の粒状物又は粉状物についても、滑り止め剤の場合と同様である。
【００１７】
図４は、本発明の第２の実施の形態に係る袋３０を示した図である。袋３０は、他方の端部を接着部で閉鎖するのではなくボタンで閉鎖する点を除いて、袋１０と実質的に同一の構成を有している。すなわち、図４（ａ）に示される袋３０は、矩形のシート３２の長さ方向縁部３２ａ、３２ｂと矩形のシート３４の対応する縁部３４ａ、３４ｂとをヒートシール等で閉鎖することによって形成されており、シート３２、３４の一方の端部３２ｃ、３４ｃに隣接した個所に閉鎖手段３６が設けられている。シート３２、３４の他方の端部３２ｄ、３４ｄは、所定間隔隔てた複数（図４（ａ）では４個）の第１ボタン４２ａで部分的に閉鎖されている（換言すると、図４（ｄ）に示されるように、第１ボタン４２ａがシート３２、３４を貫通している）。シート３４の他方の端部３４ｄは更に延びて、所定長さの延長部分３４ｅを形成しており、延長部分３４ｅに、第１ボタン４２ａにスナップ嵌めすることができる第２ボタン４２ｂが取り付けられている。袋３０では、第１ボタン４２ａにより開口部４０が狭められているので、袋１０におけるように他方の端部１２ｄ、１４ｄを部分的に閉鎖する必要はない。なお、参照符号３８は、手持ち用の開口部を示している。
【００１８】
図４（ｂ）及び図４（ｃ）は、シート３４の延長部分３４ｅを折り返して開口部４０を閉鎖した状態を示した図である。図４（ｂ）と図４（ｃ）は、前者が開口部４０が袋３０の縁部に位置するように第２ボタン４２ｂが取り付けられているのに対して、後者が開口部４０が袋３０の一方の側（図１（ｃ）では、手前の側）に位置するように第２ボタン４２ｂが取り付けられている点で相違している。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２０】
【図１】本発明の第１の実施の形態に係る袋を示した斜視図であって、図１（ａ）は延長部分を折り返していない状態を示した図、図１（ｂ）及び（ｃ）は延長部分を折り返した状態を示した図である。
【図２】図１の袋の変形形態を示した斜視図である。
【図３】図１の袋の使用手順の例を示した一連の図である。
【図４】本発明の第２の実施の形態に係る袋を示した斜視図であって、図４（ａ）は延長部分を折り返していない状態を示した図、図４（ｂ）及び（ｃ）は延長部分を折り返した状態を示した図、図４（ｄ）は図４（ａ）の線４ｄ−４ｄに沿って見た図である。
【符号の説明】
【００２１】
１０、３０  袋
１２、１４、３２、３４  シート
１６、３６  閉鎖手段
１８、３８  手持ち用の開口部
２０、４０  開口部
２２  接着部
４２ａ、４２ｂ  ボタン
【図１】
2005186965.tif 000003
【図２】
2005186965.tif 000004
【図３】
2005186965.tif 000005
【図４】
2005186965.tif 000006